(57)【要約】  情報伝送方法、機器及びコンピュータ読み取り可能な記憶媒体を提供する。該方法は、基地局が第１サービスを実行するための第１チャネル上で、第２サービスを実行するための第２チャネルに関連付けられる情報又は端末が第２チャネルを監視するタイミング実例のうちの少なくとも１つを含む指示情報を送信することと、基地局が第２チャネル上で端末に用いられる構成情報を送信することとを含む。該方法は、端末持続的な監視による高い消費電力を避け、その他の端末性能に与える影響を低減させることができる。
2020509631.tif 000002
【特許請求の範囲】
【請求項１】
情報伝送方法であって、
基地局が第１サービスを実行するための第１チャネル上で、第２サービスを実行するための第２チャネルに関連付けられる情報又は端末が前記第２チャネルを監視するタイミング実例のうちの少なくとも１つを含む指示情報を送信することと、
前記基地局が前記第２チャネル上で前記端末に用いられる構成情報を送信することとを含む情報伝送方法。
【請求項２】
前記第１チャネルは、前記第１サービスに用いられるデータチャネル又は制御チャネを含み、且つ前記第２チャネルは、第２サービスに用いられるデータチャネル又は制御チャネルを含む請求項１に記載の方法。
【請求項３】
前記第１サービスは、前記第２サービスよりも高い優先度を持つ請求項１又は２に記載の方法。
【請求項４】
前記第１サービスは、超高信頼低遅延通信ＵＲＬＬＣサービスを含み、且つ前記第２サービスは、高度化モバイルブロードバンドｅＭＢＢサービスを含む請求項３に記載の方法。
【請求項５】
前記第２チャネルに関連付けられる前記情報は、前記第２チャネルに対応する１つ又は複数の制御チャネル検索空間又は制御リソースセットＣＯＲＥＳＥＴ、前記第２チャネルの時間領域リソース、又は前記第２チャネルの周波数領域リソースのうちの少なくとも１つを含む請求項１から請求項４のいずれか１項に記載の方法。
【請求項６】
前記基地局が、前記指示情報を送信する前に、前記第２チャネルに対応する１つ又は複数の制御チャネル検索空間又はＣＯＲＥＳＥＴを構成することを含む請求項１から請求項５のいずれか１項に記載の方法。
【請求項７】
前記指示情報はさらに、前記構成情報を送信するための情報を含む請求項１から請求項５のいずれか１項に記載の方法。
【請求項８】
前記構成情報を送信するための前記情報は、前記構成情報を送信するための時間領域リソース、周波数領域リソース、変調方式又はチャネル符号化方式のうちの少なくとも１つを含む請求項７に記載の方法。
【請求項９】
前記指示情報と前記第１サービスのサービスデータを多重化することにより、前記指示情報と前記サービスデータを共に前記第１チャネル上に携帯させる請求項１から請求項８のいずれか１項に記載の方法。
【請求項１０】
前記第１サービスのサービスデータの一部に対してパンクチャリングを行うことにより、前記指示情報と前記サービスデータを共に前記第１チャネル上に携帯させる請求項１から請求項８のいずれか１項に記載の方法。
【請求項１１】
前記指示情報及び前記第１サービスのサービスデータを前記第１チャネル上で別々に送信する請求項１から請求項８のいずれか１項に記載の方法。
【請求項１２】
前記構成情報が無線リソース制御ＲＲＣシグナリング又はメディアアクセス制御ＭＡＣシグナリングに携帯されている請求項１から請求項１１のいずれか１項に記載の方法。
【請求項１３】
前記基地局は、前記第１チャネル上で前記指示情報を送信することにより、前記端末が前記情報を受信した後、前記指示情報によって提供された情報に基づいて、前記第２チャネル上の前記構成情報を検出するようにトリガする請求項１から請求項１２のいずれか１項に記載の方法。
【請求項１４】
情報伝送方法であって、
端末が、基地局が第１サービスを実行するための第１チャネル上で送信した、第２サービスを実行するための第２チャネルに関連付けられる情報又は端末が前記第２チャネルを監視するタイミング実例のうちの少なくとも１つを含む指示情報を受信することと、
前記端末が、前記指示情報に基づいて前記第２チャネルを監視するとともに、前記基地局が前記第２チャネル上で送信した構成情報を検出することとを含む情報伝送方法。
【請求項１５】
前記第１チャネルは、前記第１サービスに用いられるデータチャネル又は制御チャネを含み、且つ前記第２チャネルは、第２サービスに用いられるデータチャネル又は制御チャネルを含む請求項１４に記載の方法。
【請求項１６】
前記第１サービスは、前記第２サービスよりも高い優先度を持つ請求項１４又は請求項１５に記載の方法。
【請求項１７】
前記第１サービスは、超高信頼低遅延通信ＵＲＬＬＣサービスを含み、且つ前記第２サービスは、高度化モバイルブロードバンドｅＭＢＢサービスを含む請求項１６に記載の方法。
【請求項１８】
前記第２チャネルに関連付けられる前記情報は、前記第２チャネルに対応する１つ又は複数の制御チャネル検索空間又は制御リソースセットＣＯＲＥＳＥＴ、前記第２チャネルの時間領域リソース、又は前記第２チャネルの周波数領域リソースのうちの少なくとも１つを含む請求項１４から請求項１７のいずれか１項に記載の方法。
【請求項１９】
前記指示情報に基づいて前記第２チャネルを監視するとともに、前記基地局が前記第２チャネル上で送信した構成情報を検出する前記ステップは、
前記端末が前記指示情報を受信した後、前記基地局が予め構成した１つ又は複数の制御チャネル検索空間又はＣＯＲＥＳＥＴから前記第２チャネルを検出することと、
前記指示情報における前記タイミング実例に基づいて、前記第２チャネル上に携帯されている下り制御情報ＤＣＩを検出することと、
前記検出したＤＣＩに基づいて、前記構成情報を復号することとを含む請求項１４から請求項１８のいずれか１項に記載の方法。
【請求項２０】
前記指示情報はさらに、前記構成情報を送信するための情報を含む請求項１４から請求項１８のいずれか１項に記載の方法。
【請求項２１】
前記構成情報を送信するための前記情報は、前記構成情報を送信するための時間領域リソース、周波数領域リソース、変調方式又はチャネル符号化方式のうちの少なくとも１つを含む請求項２０に記載の方法。
【請求項２２】
前記指示情報に基づいて前記第２チャネルを監視するとともに、前記基地局が前記第２制御チャネル上で送信した構成情報を検出する前記ステップは、
前記端末が前記指示情報を受信した後、前記指示情報における、前記構成情報を送信するための時間領域リソース、周波数領域リソース、変調方式又はチャネル符号化方式のうちの少なくとも１つに基づいて、前記構成情報を復号することを含む請求項２１に記載の方法。
【請求項２３】
前記指示情報に基づいて前記第２チャネルを監視するとともに、前記基地局が前記第２チャネル上で送信した構成情報を検出する前記ステップは、
前記端末が前記指示情報を受信した後、前記指示情報における、前記第２チャネルに対応する１つ又は複数の制御チャネル検索空間又はＣＯＲＥＳＥＴから前記第２チャネルを検出することと、
前記指示情報における前記タイミング実例に基づいて、前記第２チャネル上に携帯されている下り制御情報ＤＣＩを検出することと、
前記指示情報及び前記検出したＤＣＩに基づいて、前記構成情報を復号することとを含む請求項１８に記載の方法。
【請求項２４】
前記指示情報と前記第１サービスのサービスデータを多重化することにより、前記指示情報と前記サービスデータを共に前記第１チャネル上に携帯させる請求項１４から請求項２３のいずれか１項に記載の方法。
【請求項２５】
前記第１サービスのサービスデータの一部に対してパンクチャリングを行うことにより、前記指示情報と前記サービスデータを共に前記第１チャネル上に携帯させる請求項１４から請求項２３のいずれか１項に記載の方法。
【請求項２６】
前記指示情報及び前記第１サービスのサービスデータを前記第１チャネル上で別々に送信する請求項１４から請求項２３のいずれか１項に記載の方法。
【請求項２７】
前記構成情報が無線リソース制御ＲＲＣシグナリング又はメディアアクセス制御ＭＡＣシグナリングに携帯されている請求項１４から請求項２６のいずれか１項に記載の方法。
【請求項２８】
ネットワーク側機器であって
第１サービスを実行するための第１チャネル上で、第２サービスを実行するための第２チャネルに関連付けられる情報又は端末が前記第２チャネルを監視するタイミング実例のうちの少なくとも１つを含む指示情報を送信するように構成される第１送信モジュールと、
前記第２チャネル上で前記端末に用いられる構成情報を送信するように構成される第２送信モジュールとを含むネットワーク側機器。
【請求項２９】
前記第１チャネルは、前記第１サービスに用いられるデータチャネル又は制御チャネを含み、且つ前記第２チャネルは、第２サービスに用いられるデータチャネル又は制御チャネルを含む請求項２８に記載のネットワーク側機器。
【請求項３０】
前記第１サービスは、前記第２サービスよりも高い優先度を持つ請求項２８又は請求項２９に記載のネットワーク側機器。
【請求項３１】
前記第１サービスは、超高信頼低遅延通信ＵＲＬＬＣサービスを含み、且つ前記第２サービスは、高度化モバイルブロードバンドｅＭＢＢサービスを含む請求項３０に記載のネットワーク側機器。
【請求項３２】
前記第２チャネルに関連付けられる前記情報は、前記第２チャネルに対応する１つ又は複数の制御チャネル検索空間又は制御リソースセットＣＯＲＥＳＥＴ、前記第２チャネルの時間領域リソース、又は前記第２チャネルの周波数領域リソースのうちの少なくとも１つを含む請求項２８から請求項３１のいずれか１項に記載の方法。
【請求項３３】
さらに、前記第２チャネルに対応する１つ又は複数の制御チャネル検索空間又はＣＯＲＥＳＥＴを構成するように構成される構成モジュールを含む請求項２８から請求項３２のいずれか１項に記載のネットワーク側機器。
【請求項３４】
前記指示情報はさらに、前記構成情報を送信するための情報を含む請求項２８から請求項３２のいずれか１項に記載のネットワーク側機器。
【請求項３５】
前記構成情報を送信するための前記情報は、前記構成情報を送信するための時間領域リソース、周波数領域リソース、変調方式又はチャネル符号化方式のうちの少なくとも１つを含む請求項３４に記載のネットワーク側機器。
【請求項３６】
前記指示情報と前記第１サービスのサービスデータを多重化することにより、前記指示情報と前記サービスデータを共に携帯させる請求項２８から請求項３５のいずれか１項に記載のネットワーク側機器。
【請求項３７】
前記第１サービスのサービスデータの一部に対してパンクチャリングを行うことにより、前記指示情報と前記サービスデータを共に携帯させる請求項２８から請求項３５のいずれか１項に記載のネットワーク側機器。
【請求項３８】
前記指示情報及び前記第１サービスのサービスデータを前記第１チャネル上で別々に送信する請求項２８から請求項３５のいずれか１項に記載のネットワーク側機器。
【請求項３９】
前記構成情報が無線リソース制御ＲＲＣシグナリング又はメディアアクセス制御ＭＡＣシグナリングに携帯されている請求項２８から請求項３８のいずれか１項に記載のネットワーク側機器。
【請求項４０】
前記第１送信モジュールは、前記第１チャネル上で前記指示情報を送信することにより、前記端末が前記指示情報を受信した後、前記指示情報によって提供された情報に基づいて、前記第２チャネル上の前記構成情報を検出するようにトリガする請求項２８から請求項３９のいずれか１項に記載のネットワーク側機器。
【請求項４１】
端末であって、
基地局が第１サービスを実行するための第１チャネル上で送信した、第２サービスを実行するための第２チャネルに関連付けられる情報又は端末が前記第２チャネルを監視するタイミング実例のうちの少なくとも１つを含む指示情報を受信するように構成される受信モジュールと、
前記指示情報に基づいて前記第２チャネルを監視するとともに、前記基地局が前記第２チャネル上で送信した構成情報を検出するように構成される検出モジュールとを含む端末。
【請求項４２】
前記第１チャネルは、前記第１サービスに用いられるデータチャネル又は制御チャネを含み、且つ前記第２チャネルは、第２サービスに用いられるデータチャネル又は制御チャネルを含む請求項４１に記載の端末。
【請求項４３】
前記第１サービスは、前記第２サービスよりも高い優先度を持つ請求項４１又は請求項４２に記載の端末。
【請求項４４】
前記第１サービスは、超高信頼低遅延通信ＵＲＬＬＣサービスを含み、且つ前記第２サービスは、高度化モバイルブロードバンドｅＭＢＢサービスを含む請求項４３に記載の端末。
【請求項４５】
前記第２チャネルに関連付けられる前記情報は、前記第２チャネルに対応する１つ又は複数の制御チャネル検索空間又は制御リソースセットＣＯＲＥＳＥＴ、前記第２チャネルの時間領域リソース、又は前記第２チャネルの周波数領域リソースのうちの少なくとも１つを含む請求項４１から請求項４４のいずれか１項に記載の端末。
【請求項４６】
前記検出モジュールは、第１検出サブモジュール及び第１復号サブモジュールを含み、そのうち、
前記第１検出サブモジュールは、前記受信モジュールから前記指示情報を受信し、前記基地局が予め構成した１つ又は複数の制御チャネル検索空間又はＣＯＲＥＳＥＴから前記第２チャネルを検出し、前記指示情報における前記タイミング実例に基づいて前記第２チャネル上に携帯されている下り制御情報ＤＣＩを検出し、前記検出したＤＣＩを前記第１復号サブモジュールに送信するように構成され、また
前記第１復号サブモジュールは、前記検出したＤＣＩに基づいて前記構成情報を復号するように構成される請求項４１から請求項４５のいずれか１項に記載の端末。
【請求項４７】
前記指示情報はさらに、前記構成情報を送信するための情報を含む請求項４１から請求項４５のいずれか１項に記載の端末。
【請求項４８】
前記構成情報を送信するための前記情報は、前記構成情報を送信するための時間領域リソース、周波数領域リソース、変調方式又はチャネル符号化方式のうちの少なくとも１つを含む請求項４７に記載の端末。
【請求項４９】
前記検出モジュールはさらに、指示情報を受信した後、前記指示情報における、前記構成情報を送信するための時間領域リソース、周波数領域リソース、変調方式又はチャネル符号化方式のうちの少なくとも１つに基づいて、前記構成情報を復号するように構成される請求項４８に記載の端末。
【請求項５０】
前記検出モジュールは、第２検出サブモジュール及び第２復号サブモジュールを含み、そのうち、
前記第２検出サブモジュールは、前記受信モジュールから前記指示情報を受信し、前記指示情報における、前記第２チャネルに対応する１つ又は複数の制御チャネル検索空間又はＣＯＲＥＳＥＴから前記第２チャネルを検出し、前記指示情報における前記タイミング実例に基づいて前記第２チャネル上に携帯されている下り制御情報ＤＣＩを検出するとともに、前記検出したＤＣＩを前記第２復号サブモジュールに送信するように構成され、また
前記第２復号サブモジュールは、前記指示情報及び前記検出したＤＣＩに基づいて前記構成情報を復号するように構成される請求項４５に記載の端末。
【請求項５１】
前記指示情報と前記第１サービスのサービスデータを多重化することにより、前記指示情報と前記サービスデータを共に前記第１チャネル上に携帯させる請求項４１から請求項５０のいずれか１項に記載の端末。
【請求項５２】
前記第１サービスのサービスデータの一部に対してパンクチャリングを行うことにより、前記指示情報と前記サービスデータを共に前記第１チャネル上に携帯させる請求項４１から請求項５０のいずれか１項に記載の端末。
【請求項５３】
前記指示情報及び前記第１サービスのサービスデータを前記第１チャネル上で別々に送信する請求項４１から請求項５０のいずれか１項に記載の端末。
【請求項５４】
前記構成情報が無線リソース制御ＲＲＣシグナリング又はメディアアクセス制御ＭＡＣシグナリングに携帯されている請求項４１から請求項５３のいずれか１項に記載の端末。
【請求項５５】
コンピュータ読み取り可能な記憶媒体であって、コマンドが記憶されており、前記コマンドがプロセッサによって実行される場合は、前記プロセッサに請求項１から請求項１３のいずれか１項に記載の方法を実行させるコンピュータ読み取り可能な記憶媒体。
【請求項５６】
コンピュータ読み取り可能な記憶媒体であって、コマンドが記憶されており、前記コマンドがプロセッサによって実行される場合は、前記プロセッサに請求項１４から請求項２７のいずれか１項に記載の方法を実行させるコンピュータ読み取り可能な記憶媒体。
【請求項５７】
ネットワーク側機器であって、第１ネットワークインタフェース、第１メモリ及び第１プロセッサを含み、そのうち、
前記第１ネットワークインタフェースは、その他の外部ネットワーク素子との間に、情報を送信及び受信する過程で信号を受信及び送信するように構成され、
前記第１メモリは、前記第１プロセッサ上で実行するコンピュータプログラムを記憶するように構成され、また
前記第１プロセッサは、前記コンピュータプログラムを実行する時に、請求項１から請求項１３のいずれか１項に記載の方法を実行するように構成されるネットワーク側機器。
【請求項５８】
端末であって、第２ネットワークインタフェース、第２メモリ及び第２プロセッサを含み、そのうち、
前記第２ネットワークインタフェースは、その他の外部ネットワーク素子との間に、情報を送信及び受信する過程で信号を受信及び送信するように構成され、
前記第２メモリは、前記第２プロセッサ上で実行するコンピュータプログラムを記憶するように構成され、また
前記第２プロセッサは、前記コンピュータプログラムを実行する時に、請求項１４から請求項２７のいずれか１項に記載の方法を実行するように構成される端末。
【請求項５９】
情報伝送システムであって、ネットワーク側機器及び端末を含み、そのうち、
前記ネットワーク側機器は、第１サービスを実行するための第１チャネル上で、第２サービスを実行するための第２チャネルに関連付けられる情報又は端末が前記第２チャネルを監視するタイミング実例のうちの少なくとも１つを含む指示情報を送信するように構成され、前記ネットワーク機器はさらに、前記第２制御チャネル上で前記端末に用いられる構成情報を送信するように構成され、また
前記端末は、前記ネットワーク側機器が前記第１チャネル上で送信した指示情報を受信し、前記指示情報に基づいて前記第２チャネルを監視するとともに、前記ネットワーク側機器が前記第２チャネル上で送信した構成情報を検出するように構成される情報伝送システム。
【発明の詳細な説明】
【技術分野】
【０００１】
本願の実施例は、無線通信分野に関し、より具体的には、情報伝送方法、機器及びコンピュータ読み取り可能な記憶媒体に関する。
【背景技術】
【０００２】
通信技術の発展に伴い、第５世代移動通信技術（５Ｇ、第５世代）が検討されている。５Ｇシステムにおける無線アクセスは、新しい無線と呼ばれ、ＮＲとも呼ばれる。５Ｇシステムにおいて、高度化モバイルブロードバンド（Ｅｎｈａｎｃｅｄ  Ｍｏｂｉｌｅ  Ｂｒｏａｄｂａｎｄ、  ｅＭＢＢ）、超高信頼低遅延通信（Ｕｌｔｒａ  Ｒｅｌｉａｂｌｅ  ａｎｄ  Ｌｏｗ  Ｌａｔｅｎｃｙ  Ｃｏｍｍｕｎｉｃａｔｉｏｎ、  ＵＲＬＬＣ）、大規模マシンタイプ通信（ｍａｓｓｉｖｅ  Ｍａｃｈｉｎｅ  Ｔｙｐｅ  ｏｆ  Ｃｏｍｍｕｎｉｃａｔｉｏｎ、  ｍＭＴＣ）という３つの典型的な応用場面がある。ｅＭＢＢ場面は、従来のモバイルブロードバンドサービスを基本として、データ伝送速度を著しく高めることにより、さらにユーザ体験及びその他の性能を向上させる。ＵＲＬＬＣ場面は、自動又は補助運転、ＡＲ（Ａｕｇｍｅｎｔｅｄ  Ｒｅａｌｉｔｙ、拡張現実）、ＶＲ（Ｖｉｒｔｕａｌ  Ｒｅａｌｉｔｙ、仮想現実）、タッチインターネット及び産業制御を含む遅れに極めて敏感なサービスに適用される。ネットワーク遅れが大きければ、ＵＲＬＬＣサービスは正常に稼働できず、さらに制御エラーが発生する。
【０００３】
５Ｇシステムにおいて、ＵＲＬＬＣサービスのアクティブ状態にあるＵＥ（即ち、ＵＲＬＬＣデータを受信するように、ＵＥは監視している）については、基地局がＵＥに構成／再構成情報を送信する場合、構成／再構成情報がＵＲＬＬＣリソース以外のリソース、例えば、ｅＭＢＢリソース中に携帯されれば、構成情報をタイムリーに取得するように、ＵＥはｅＭＢＢリソース中における情報を持続的に監視する必要がある。しかしながら、リソースに対する持続的な監視は、複雑性が高く、消費電力が高い。例えば、ｅＭＢＢリソース上における制御チャネルに対する監視の持続時間が長いため、ｅＭＢＢリソースに対する持続的な監視は、高い消費電力を引き起こす。上記問題に鑑み、他の構成／再構成情報の送信方法が提供され、即ち、ＵＲＬＬＣリソース中に構成／再構成情報を携帯させて送信する。このような場合に、送信される構成情報をタイムリーに取得するように、ＵＥは、ＵＲＬＬＣリソース中における情報を持続的に受信する必要がある。なお、ＵＲＬＬＣリソースの低遅延要求に基づいて、ＵＥは、ＵＲＬＬＣサービスの情報を優先的に受信しなければならない。ＵＲＬＬＣサービスを実行するための十分なリソースがなければ、ＵＥは、その他のＵＥの非ＵＲＬＬＣサービスのリソース、例えば、ｅＭＢＢサービスを実行するためのリソースを占有する可能性があり、それにより、その他のＵＥの性能低下を引き起こす。
【発明の概要】
【発明が解決しようとする課題】
【０００４】
一部又は全ての問題を解決するために、本願の実施例は、情報伝送方法、機器及びコンピュータ読み取り可能な媒体を提供し、端末の持続的な監視による高い消費電力を避け、その他の端末の性能に与える影響を低減させることができる。
【課題を解決するための手段】
【０００５】
第一の態様にて提供される情報伝送方法は、基地局が第１サービスを実行するための第１チャネル上で、第２サービスを実行するための第２チャネルに関連付けられる情報又は端末が前記第２チャネルを監視するタイミング実例のうちの少なくとも１つを含む指示情報を送信することと、前記基地局が前記第２チャネル上で前記端末に用いられる構成情報を送信することとを含んでもよい。
【０００６】
第二の態様にて提供される情報伝送方法は、端末が、基地局が第１サービスを実行するための第１チャネル上で送信した、第２サービスを実行するための第２チャネルに関連付けられる情報又は端末が前記第２チャネルを監視するタイミング実例のうちの少なくとも１つを含む指示情報を受信することと、前記端末が、前記指示情報に基づいて前記第２チャネルを監視するとともに、前記基地局が前記第２チャネル上で送信した構成情報を検出することとを含んでもよい。
【０００７】
第三の態様にて提供されるネットワーク側機器は、第１サービスを実行するための第１チャネル上で、第２サービスを実行するための第２チャネルに関連付けられる情報又は端末が前記第２チャネルを監視するタイミング実例のうちの少なくとも１つを含む指示情報を送信するように構成される第１送信モジュールと、前記第２チャネル上で、前記端末に用いられる構成情報を送信するように構成される第２送信モジュールとを含んでもよい。
【０００８】
第四の態様にて提供される端末は、基地局が第１サービスを実行するための第１チャネル上で送信した、第２サービスを実行するための第２チャネルに関連付けられる情報又は端末が前記第２チャネルを監視するタイミング実例のうちの少なくとも１つを含む指示情報を受信するように構成される受信モジュールと、前記指示情報に基づいて前記第２チャネルを監視するとともに、前記基地局が前記第２チャネル上で送信した構成情報を検出するように構成される検出モジュールとを含んでもよい。
【０００９】
第五の態様にて提供されるコンピュータ読み取り可能な記憶媒体であって、コマンドが記憶されており、前記コマンドがプロセッサによって実行される場合は、前記プロセッサに第１態様による方法の動作を実行させる。
【００１０】
第六の態様にて提供されるコンピュータ読み取り可能な記憶媒体であって、コマンドが記憶されており、前記コマンドがプロセッサによって実行される場合は、前記プロセッサに第２態様による方法の動作を実行させる。
【００１１】
第七の態様にて提供されるネットワーク側機器は、第１ネットワークインタフェース、第１メモリ及び第１プロセッサを含んでもよく、そのうち、前記第１ネットワークインタフェースは、その他の外部ネットワーク素子との間に、情報を送信及び受信する過程で信号を受信及び送信するように構成され、前記第１メモリは、前記第１プロセッサ上で実行するコンピュータプログラムを記憶するように構成され、前記第１プロセッサは、前記コンピュータプログラムを実行する時に、前記第１態様による方法の動作を実行するように構成される。
【００１２】
第八の態様にて提供される端末は、第２ネットワークインタフェース、第２メモリ及び第２プロセッサを含んでもよく、そのうち、前記第２ネットワークインタフェースは、その他の外部ネットワーク素子との間に、情報を送信及び受信する過程で信号を受信及び送信するように構成され、前記第２メモリは、前記第２プロセッサ上で実行するコンピュータプログラムを記憶するように構成され、前記第２プロセッサは、前記第２態様による方法の動作を実行するように構成される。
【００１３】
第九の態様にて提供される情報伝送システムは、ネットワーク側機器及び端末を含んでもよく、そのうち、前記ネットワーク側機器は、第１サービスを実行するための第１チャネル上で、第２サービスを実行するための第２チャネルに関連付けられる情報又は端末が前記第２チャネルを監視するタイミング実例のうちの少なくとも１つを含む指示情報を送信するように構成され、前記ネットワーク機器はさらに、前記第２制御チャネル上で、前記端末に用いられる構成情報を送信するように構成される。前記端末は、前記ネットワーク側機器が前記第１チャネル上で送信した指示情報を受信し、前記指示情報に基づいて前記第２チャネルを監視するとともに、前記ネットワーク側機器が前記第２チャネル上で送信した構成情報を検出するように構成される。
【発明の効果】
【００１４】
本願の実施例は、情報伝送方法、機器及びコンピュータ読み取り可能な媒体を提供する。前記ネットワーク側機器は、第１サービスを実行するための前記第１チャネル上で前記指示情報を送信することにより、前記端末が前記指示情報によって提供された情報に基づいて前記第２チャネルを監視するとともに、前記第２チャネル上に携帯されている情報を検出するようにさせることができ、それにより、端末の持続的な監視による高い消費電力を避け、その他の端末性能に与える影響を低減させる。
【図面の簡単な説明】
【００１５】
【図１】本願の実施例による通信システムの模式構成図である。
【図２】本願の実施例による情報伝送方法の模式フローチャートである。
【図３】本願の他の実施例による情報伝送方法の模式フローチャートである。
【図４】本願の実施例による第１の模式フローチャートである。
【図５】本願の実施例による図４における第１の実施形態の模式図である。
【図６】本願の実施例による第２の模式フローチャートである。
【図７】本願の実施例による図６における第２の実施形態の模式図である。
【図８Ａ】本願の実施例による図６における第２の他の実施形態の模式図である。
【図８Ｂ】本願の実施例による図６における第２の他の実施形態の模式図である。
【図８Ｃ】本願の実施例による図６における第２の他の実施形態の模式図である。
【図９】本願の実施例によるネットワーク側機器の模式構成図である。
【図１０】本願の実施例によるネットワーク側機器のハードウェア部品の模式構成図である。
【図１１】本願の実施例による端末の第１模式構成図である。
【図１２Ａ】本願の実施例による端末の第２模式構成図である。
【図１２Ｂ】本願の実施例による端末の第３模式構成図である。
【図１３】本願の実施例による端末のハードウェア部品の模式構成図である。
【図１４】本願の実施例による情報伝送システムの模式構成図である。
【発明を実施するための形態】
【００１６】
以下、本願の実施例における図面を参照しながら、本願の実施例における技術的解決手段について、明確、且つ完全に説明する。
【００１７】
本願の実施例における技術的解決手段は、例えば、汎欧州デジタル移動電話方式（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）システム、ロングタームエヴォリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、将来の５Ｇ通信システム等、様々な通信システムに用いられうる。
【００１８】
本願の各実施例の端末は、無線アクセスネットワーク（Ｒａｄｉｏ  Ａｃｃｅｓｓ  Ｎｅｔｗｏｒｋ、ＲＡＮ）を介して、１つ又は複数のコアネットワークに通信してもよい。端末は、ユーザ機器（Ｕｓｅｒ  Ｅｑｕｉｐｍｅｎｔ、  ＵＥ）、アクセス端末、加入者ユニット、加入者局、移動無線局、移動局、遠隔局、遠隔端末、移動機器、ユーザ端末、無線通信機器、ユーザエージェント又はユーザ装置であってもよい。アクセス端末は、セルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有する手持ち機器、無線モデムに接続される計算機器又はその他の処理機器、車載機器、ウェアラブル機器、将来の５Ｇネットワークにおける端末機器等であってもよい。
【００１９】
本願の各実施例によるネットワーク側機器は、端末機器と通信するように構成される機器であってもよく、例えば、ＧＳＭ又はＣＤＭＡ中におけるベーストランシーバ基地局（Ｂａｓｅ  Ｔｒａｎｓｃｅｉｖｅｒ  Ｓｔａｔｉｏｎ、  ＢＴＳ）であってもよく、ＷＣＤＭＡシステムにおけるノードＢ（ＮｏｄｅＢ、  ＮＢ）であってもよく、また、ＬＴＥシステムにおける発展型ノードＢ（ｅＮＢ又はｅＮｏｄｅＢ）であってもよい。又は、基地局は、中継局、アクセスポイント、車載機器、ウェアラブル機器、将来の５Ｇネットワーク中のネットワーク側機器等であってもよい。
【００２０】
図１は、例示的、且つ簡素化された通信システム構造である。図１に示されたシステムは、本発明の実施例に用いられるシステムの例の１つに過ぎず、且つ必要に応じて、本発明の実施例の技術的解決手段は、上記のいずれかの通信システムにおいて実現することができる。図１に示すように、無線システムは、コアネットワーク側、基地局及びユーザ機器（ＵＥ）を含んでもよい。基地局１０２は、伝送媒体を介して１つ又は複数のＵＥ  １０４、１０６、１０８と通信するとともに、ＵＥ  １０４、１０６、１０８にコアネットワーク側までのアクセスポイントを提供する。ＬＴＥシステムにおいて、基地局１０２は発展型ノードＢ（ｅＮＢ）であってもよく、且つ５Ｇ  ＮＲにおいて、基地局１０２はｇＮＢであってもよい。ＵＥ  １０４、１０６、１０８の例は、セルラー電話、ラップトップコンピュータ、パーソナルデジタルアシスタント（ＰＤＡ）又は同様の機能を有するいずれかのその他の機器を含んでもよい。
【００２１】
［実施例１］
図２は本願の実施例による情報伝送方法を示す。該方法は、通信システムのネットワーク側機器、例えば、５Ｇ  ＮＲにおけるｇＮＢに用いることができ、且つ、以下のＳ２０１及びＳ２０２の動作を含む。
【００２２】
Ｓ２０１において、基地局は、第１サービスを実行するための第１チャネル上で、第２サービスを実行するための第２チャネルに関連付けられる情報又は端末が第２チャネルを監視するタイミング実例のうちの少なくとも１つを含む指示情報を送信する。
【００２３】
なお、指示情報中におけるタイミング実例は、端末が第２チャネルを監視し始める特定の時間であってもよく、又は端末が第２チャネルを監視するタイムウィンドウであってもよく、本願の実施例は、これに限定されるものではない。
【００２４】
該動作において、第１チャネルは、第１サービスに用いられるデータチャネル又は制御チャネルを含み、第２チャネルは、第２サービスに用いられるデータチャネル又は制御チャネルを含み、且つ第１サービスは、第２サービスよりも高い優先度を持つ。一例では、第１サービスは、ＵＲＬＬＣサービスを含んでもよく、第２サービスは、ＵＲＬＬＣサービス以外のその他のサービス、例えば、ｅＭＢＢサービスを含んでもよい。したがって、第１チャネルは、ＵＲＬＬＣサービスが携帯されているデータチャネル又は制御チャネルであってもよく、第２チャネルは、ｅＭＢＢサービスが携帯されているデータチャネル又は制御チャネルであってもよい。
【００２５】
一例では、第２チャネルに関連付けられる情報は、第２チャネルに対応する１つ又は複数の制御チャネル検索空間又は制御リソースセット（Ｃｏｎｔｒｏｌ  Ｒｅｓｏｕｒｃｅ  Ｓｅｔ、ＣＯＲＥＳＥＴ）、第２チャネルの時間領域リソース、又は第２チャネルの周波数領域リソースのうちの少なくとも１つを含む。第２チャネルに対応するＣＯＲＥＳＥＴについては、５Ｇ  ＮＲ技術において詳細に説明される。
【００２６】
一例では、指示情報とサービスデータを多重化することにより、指示情報と第１サービスのサービスデータを共に第１チャネル上に携帯させることができる。変形例において、サービスデータの一部に対してパンクチャリングを行うことにより、指示情報と第１サービスのサービスデータを共に第１チャネル上に携帯させる。具体的には、第１サービスのサービスデータの一部に対してパンクチャリングを行うことにより、指示情報は、パンクチャリングが行われたサービスデータのリソースを占有することで、指示情報と第１サービスのサービスデータを共に第１チャネル上に携帯させる。他の実施例では、基地局は、第１チャネル上で指示情報及び第１サービスのサービスデータを別々に送信してもよく、即ち、該情報と第１サービスのサービスデータを多重化しないことが指示されている。
【００２７】
Ｓ２０２において、基地局は、第２チャネル上で端末に用いられる構成情報を送信する。
【００２８】
構成情報は、無線リソース制御（Ｒａｄｉｏ  Ｒｅｓｏｕｒｃｅ  Ｃｏｎｔｒｏｌ、ＲＲＣ）シグナリング又はメディアアクセス制御（Ｍｅｄｉａ  Ａｃｃｅｓｓ  Ｃｏｎｔｒｏｌ、ＭＡＣ）シグナリング中に携帯されてもよく、端末のデータ伝送、測定制御及び報告、切り換え、セル選択及び再選択、ハイブリット自動再送要求（Ｈｙｂｒｉｄ  Ａｕｔｏｍａｔｉｃ  Ｒｅｐｅａｔ  Ｒｅｑｕｅｓｔ、ＨＡＲＱ）等を含むが、これらに限定されないサービスを制御するために用いられる。なお、構成情報のほかに、上記伝送方法はさらに、その他の情報／メッセージを送信するために用いることができる。
【００２９】
本願の実施例において、基地局は、端末が指示情報における第２チャネルに関連付けられる情報又はタイミング実例に基づいて第２チャネルを検出できるように、上記指示情報を送信し、それにより、端末の持続的な監視による高い消費電力を避け、その他の端末性能に与える影響を低減させる。
【００３０】
図２に示した技術的解決手段の実施形態において、基地局は、１つ又は複数の制御チャネル検索空間又はＣＯＲＥＳＥＴを予め構成又は予め決定してもよい。この場合において、基地局から指示情報を受信した後、端末は、予め構成された前記制御チャネル検索空間又はＣＯＲＥＳＥＴから第２チャネルを検出することができる。具体的には、端末は、指示情報に含まれる第２チャネルに関連付けられる情報、例えば、第２チャネルの時間領域リソースに基づいて、予め構成された制御チャネル検索空間から第２チャネルを検出することができる。なお、指示情報を送信する前に、又は送信した後、前記制御チャネル検索空間又はＣＯＲＥＳＥＴを構成してもよい。
【００３１】
図２に示した技術的解決手段の代替的実施形態において、指示情報はさらに、構成情報を送信するための情報を含んでもよい。構成情報を送信するための前記情報は、構成情報を送信するための時間領域リソース、構成情報を送信するための周波数領域リソース、構成情報を送信するための変調方式、又は構成情報を送信するためのチャネル符号化方式のうちの少なくとも１つを含んでもよい。この場合において、基地局は、上記情報を含む指示情報を送信することにより、端末が指示情報における構成情報を送信するための時間領域リソース、周波数領域リソース、変調方式、チャネル符号化方式のうちの少なくとも１つに基づいて第２チャネル情報を取得する、又は指示情報における第２チャネルに対応する制御チャネル検索空間又はＣＯＲＥＳＥＴから第２チャネルを検出し、続いて第２チャネル上の構成情報を検出することができるようにさせる。
【００３２】
本願の実施例において、第１チャネルは、ＵＲＬＬＣサービスが携帯されているチャネル（即ち、ＵＲＬＬＣチャネル）であってもよく、第２チャネルは、ｅＭＢＢサービスが携帯されているチャネル（即ち、ｅＭＢＢチャネル）であってもよい。特に、該解決手段は以下のように実現されてもよい。基地局はＵＲＬＬＣチャネル（又はＵＲＬＬＣリソース）上で、ｅＭＢＢチャネル（又はｅＭＢＢリソース）に関連付けられる情報及び／又は端末がｅＭＢＢチャネルを監視するタイミング実例を含む指示情報を送信し、続いて基地局はｅＭＢＢチャネル上で端末に用いられる構成情報を送信する。基地局から指示情報を受信した後、端末は指示情報によって提供された情報に基づいてｅＭＢＢチャネルを監視するとともに、ｅＭＢＢチャネル上に携帯されている構成情報を検出する。指示情報とＵＲＬＬＣデータを多重化する、又は多重化しない。指示情報とＵＲＬＬＣデータを多重化しなければ、指示情報を、ＵＲＬＬＣリソースにおいてＵＲＬＬＣデータと共に送信するしかない。当然ながら、該解決手段は、端末の持続的な監視による高い消費電力を避けることができる。該解決手段はさらに、より低い遅延要求でｅＭＢＢリソースにおいて構成情報を送信することにより、現在の端末によるその他の端末のリソース占有を防止でき、それにより、その他の端末性能に与える影響を低減させる。
【００３３】
本願の実施例の情報伝送方法によれば、ネットワーク側機器、例えば、ｇＮＢは、第１チャネル上で指示情報を送信することにより、端末が指示情報によって提供された情報に基づいて第２チャネルを検出するようにさせることができ、それにより、端末の持続的な監視による高い消費電力を避け、その他の端末性能に与える影響を低減させる。
【００３４】
［実施例２］
前の実施例と同じ発明思想に基づいて、図３は本発明の実施例による情報伝送方法を示す。該方法は通信システムにおける端末に用いることができ、且つ、以下に示されるＳ３０１及びＳ３０２の動作を含む。
【００３５】
Ｓ３０１において、端末は、基地局が第１サービスを実行するための第１チャネル上で送信した、第２サービスを実行するための第２チャネルに関連付けられる情報又は端末が第２チャネルを監視するタイミング実例のうちの少なくとも１つを含む指示情報を受信する。
【００３６】
なお、指示情報におけるタイミング実例は、端末が第２チャネルを監視し始める特定の時間であってもよく、又は端末が第２チャネルを監視するタイムウィンドウであってもよく、本願の実施例は、これに限定されるものではない。
【００３７】
該動作において、第１チャネルは、第１サービスに用いられるデータチャネル又は制御チャネルを含み、第２チャネルは、第２サービスに用いられるデータチャネル又は制御チャネルを含み、且つ第１サービスは、第２サービスよりも高い優先度を持つ。一例では、第１サービスは、ＵＲＬＬＣサービスを含んでもよく、第２サービスは、ＵＲＬＬＣサービス以外のその他のサービス、例えば、ｅＭＢＢサービスを含んでもよい。したがって、第１チャネルは、ＵＲＬＬＣサービスが携帯されているデータチャネル又は制御チャネルであってもよく、第２チャネルは、ｅＭＢＢサービスが携帯されているデータチャネル又は制御チャネルであってもよい。
【００３８】
一例では、第２チャネルに関連付けられる情報は、第２チャネルに対応する１つ又は複数の制御チャネル検索空間又はＣＯＲＥＳＥＴ、第２チャネルの時間領域リソース、又は第２チャネルの周波数領域リソースのうちの少なくとも１つを含む。
【００３９】
一例では、指示情報とサービスデータを多重化することにより、指示情報と第１サービスのサービスデータを共に第１チャネル上に携帯させることができる。変形例において、サービスデータの一部に対してパンクチャリングを行うことにより、指示情報と第１サービスのサービスデータを共に第１チャネル上に携帯させることができる。具体的には、第１サービスのサービスデータの一部に対してパンクチャリングを行い、指示情報は、パンクチャリングが行われたサービスデータのリソースを占有することで、指示情報と第１サービスのサービスデータを共に第１チャネル上に携帯させる。他の例では、第１チャネル上で指示情報及び第１サービスのサービスデータを別々に受信し、即ち、該情報と第１サービスのサービスデータを多重化しないことが指示されている。
【００４０】
Ｓ３０２において、端末は、指示情報に基づいて第２チャネルを監視するとともに、基地局が第２チャネル上で送信した構成情報を検出する。
【００４１】
構成情報は、ＲＲＣシグナリング又はＭＡＣシグナリング中に携帯されてもよく、端末のデータ伝送、測定制御及び報告、切り換え、セル選択及び再選択、ＨＡＲＱ等を含むが、これらに限定されないサービスを制御するために用いられる。なお、構成情報のほかに、上記伝送方法はさらに、その他の情報／メッセージを送信するために用いることができる。
【００４２】
本願の実施例において、端末は上記指示情報を受信した後、指示情報における第２チャネルに関連付けられる情報又はタイミング実例に基づいて第２チャネルを検出するとともに、タイミング実例に基づいて第２チャネルを監視することができ、それにより、端末の持続的な監視による高い消費電力を避け、その他の端末性能に与える影響を低減させる。
【００４３】
図３に示した技術的解決手段の第１実施形態において、端末は、指示情報を受信した後、基地局が予め構成した１つ又は複数の制御チャネル検索空間又はＣＯＲＥＳＥＴから第２チャネルを検出し、タイミング実例に基づいて第２チャネル上に携帯されている下り制御情報（ｄｏｗｎｌｉｎｋ  ｃｏｎｔｒｏｌ  ｉｎｆｏｒｍａｔｉｏｎ、ＤＣＩ）を検出するとともに、検出したＤＣＩに基づいて構成情報を復号してもよい。
【００４４】
具体的には、基地局は、１つ又は複数の制御チャネル検索空間又はＣＯＲＥＳＥＴを予め構成又は予め決定してもよい。指示情報を受信すると、端末は、第２チャネルに関連付けられる情報、例えば、指示情報における第２チャネルの時間領域リソース又は周波数領域に基づいて、予め構成された制御チャネル検索空間又はＣＯＲＥＳＥＴから第２チャネルを検出することができる。第２チャネルを検出すると、端末は、第２チャネル上に携帯されているＤＣＩを取得するとともに、検出したＤＣＩに基づいて構成情報を復号することができる。復号動作は従来の復号技術を採用して、ここで、詳細な説明を省略する。変形例において、端末は時間帯を予め設定してもよい。前記時間帯内において、チャネル検索空間から構成情報が携帯されている第２チャネルを検出しなければ、基地局がまだ構成情報を送信していないことが示され、且つ該過程が終了する。
【００４５】
図３に示した技術的解決手段の第２実施形態において、指示情報はさらに、構成情報を送信するための情報を含んでもよい。構成情報を送信するための前記情報は、構成情報を送信するための時間領域リソース、構成情報を送信するための周波数領域リソース、構成情報を送信するための変調方式、又は構成情報を送信するためのチャネル符号化方式のうちの少なくとも１つ含んでもよい。この場合において、端末は、指示情報を受信した後、指示情報に含まれる特定の情報コンテンツによって第２チャネルを監視するとともに、第２チャネル上の構成情報を検出することができる。
【００４６】
Ｓ３０２における実施形態は、指示情報の異なるコンテンツに応じて変化する。具体的には、下記の２つの実施形態が存在する。
【００４７】
［実施形態１］
指示情報はさらに、構成情報を送信するための情報、即ち、構成情報を送信するための時間領域リソース、周波数領域リソース、変調方式又はチャネル符号化方式のうちの少なくとも１つを含む場合、端末は、指示情報を受信した後、指示情報における構成情報を送信するための時間領域リソース、周波数領域リソース、変調方式又はチャネル符号化方式のうちの少なくとも１つに基づいて、第２チャネルを検出するとともに、第２チャネル上に携帯されている構成情報を復号してもよい。例えば、指示情報は、構成情報を送信するための時間領域リソースを含む場合、端末は、時間領域リソースに基づいて第２チャネル情報を取得し、続いて第２チャネル上の構成情報を検出してもよい。
【００４８】
なお、本願の実施例の上記実施形態１において、第２チャネルのＤＣＩを検出することを必要とせず、指示情報のみに基づいて構成情報を復号すればよい。
【００４９】
［実施形態２］
指示情報は、第２チャネルに対応する１つ又は複数の制御チャネル検索空間又はＣＯＲＥＳＥＴを含む場合、端末は、指示情報を受信した後、指示情報における第２チャネルに対応する制御チャネル検索空間又はＣＯＲＥＳＥＴから第２チャネルを検出し、タイミング実例に基づいて第２チャネル上に携帯されているＤＣＩを検出するとともに、指示情報及び検出したＤＣＩに基づいて構成情報を復号してもよい。
【００５０】
なお、本願の実施例の上記実施形態２において、指示情報から第２チャネルに対応する制御チャネル検索空間を取得し、且つ第２チャネル上に携帯されているＤＣＩを検出する必要がある。指示情報に加えて、検出したＤＣＩに基づいて、構成情報を復号してもよい。
【００５１】
本願の実施例において、第１チャネルは、ＵＲＬＬＣサービスが携帯されているチャネル（即ち、ＵＲＬＬＣチャネル）であってもよく、第２チャネルは、ｅＭＢＢサービスが携帯されているチャネル（即ち、ｅＭＢＢチャネル）であってもよい。特に、該解決手段は以下のように実現されてもよい。端末はＵＲＬＬＣチャネル（又はＵＲＬＬＣリソース）上で、ｅＭＢＢチャネル（又はｅＭＢＢリソース）に関連付けられる情報及び／又は端末がｅＭＢＢチャネルを監視するタイミング実例を含む指示情報を受信し、指示情報によって提供された情報に基づいてｅＭＢＢチャネルを検出するとともに、ｅＭＢＢチャネル上の構成情報を取得する。指示情報とＵＲＬＬＣデータを多重化する、又は多重化しない。指示情報とＵＲＬＬＣデータを多重化しなければ、指示情報をＵＲＬＬＣリソースにおいてＵＲＬＬＣデータと共に送信するしかない。当然ながら、該解決手段は、端末の持続的な監視による高い消費電力を避けることができる。該解決手段はさらに、より低い遅延要求でｅＭＢＢリソースにおいて構成情報を送信することにより、現在の端末によるその他の端末のリソース占有を防止でき、それにより、その他の端末性能に与える影響を低減させる。
【００５２】
本願の実施例の情報伝送方法によれば、端末は、基地局が第１チャネル上で送信した指示情報に基づいて第２チャネル情報を取得するとともに、第２チャネルを検出することができ、それにより、端末の持続的な監視による高い消費電力を避け、その他の端末性能に与える影響を低減させる。
【００５３】
［実施例３］
以下、具体例を参照しながら、上記実施例の技術的解決手段について詳細に説明する。
【例１】
【００５４】
該例において、基地局は、ＵＲＬＬＣサービスのアクティブ状態にあるＵＥに構成／再構成情報を送信し、即ち、ＵＲＬＬＣデータを受信するように、ＵＥは監視している。該例の場面において、第１チャネルは、ＵＲＬＬＣサービスが携帯されている制御チャネルであってもよく、第２チャネルは、ｅＭＢＢサービスが携帯されている制御チャネルであってもよく、且つ基地局は、１つ又は複数の制御チャネル検索空間又はＣＯＲＥＳＥＴを予め構成してもよい。なお、上記場面は、いかなる形態で本願を制限するものではなく、本願を説明するように意図されている。図４に示すように、該例の模式フローチャートはＳ４０１〜Ｓ４０４に示される。
【００５５】
Ｓ４０１において、基地局は、ＵＲＬＬＣ制御チャネル上で指示情報を送信する。
【００５６】
該指示情報は、ｅＭＢＢ制御チャネルに関連付けられる情報及び端末がｅＭＢＢ制御チャネルを監視するタイミング実例を含み、そのうち、指示情報におけるタイミング実例は、端末が第２チャネルを監視し始める特定の時間であってもよく、又は端末が第２チャネルを監視するタイムウィンドウであってもよい。ｅＭＢＢ制御チャネルは、ＵＲＬＬＣ制御チャネルとのマッピングを有してもよく、又は有しなくてもよく、本願の実施例では、これを限定しない。
【００５７】
ｅＭＢＢ制御チャネルに関連付けられる情報は、ｅＭＢＢ制御チャネルに対応する１つ又は複数の制御チャネル検索空間又はＣＯＲＥＳＥＴ、ｅＭＢＢ制御チャネルの時間領域リソース、又はｅＭＢＢ制御チャネルの周波数領域リソースのうちの少なくとも１つを含む。
【００５８】
該動作の１つの実施形態において、指示情報とＵＲＬＬＣデータを多重化することにより、指示情報とＵＲＬＬＣデータを共にＵＲＬＬＣ制御チャネル上に携帯させることができる。代替的実施形態において、ＵＲＬＬＣデータの一部に対してパンクチャリングを行うことにより、指示情報とＵＲＬＬＣデータを共にＵＲＬＬＣ制御チャネル上に携帯させる。具体的には、ＵＲＬＬＣデータの一部に対してパンクチャリングを行い、且つ指示情報はパンクチャリングが行われたＵＲＬＬＣデータのリソースを占有することで、指示情報とＵＲＬＬＣデータを共にＵＲＬＬＣ制御チャネル上に携帯させる。他の実施形態において、基地局は、ＵＲＬＬＣ制御チャネル上で指示情報及びＵＲＬＬＣデータを別々に送信してもよく、即ち、該情報とＵＲＬＬＣデータを多重化しないことが指示されている。
【００５９】
Ｓ４０２において、基地局は、ｅＭＢＢ制御チャネル上で端末に用いられる構成情報を送信する。
【００６０】
構成情報は、ＲＲＣシグナリング又はＭＡＣシグナリング中に携帯されてもよく、端末のデータ伝送、測定制御及び報告、切り換え、セル選択及び再選択、ＨＡＲＱ等を含むが、これらに限定されないサービスを制御するために用いられる。
【００６１】
Ｓ４０３において、端末は、ＵＲＬＬＣ制御チャネル上で指示情報を受信するとともに、指示情報に基づいてｅＭＢＢ制御チャネルを監視する。
【００６２】
具体的には、端末は、指示情報を受信した後、予め構成された制御チャネル検索空間又はＣＯＲＥＳＥＴからｅＭＢＢ制御チャネルを検出するとともに、指示情報におけるタイミング実例に基づいてｅＭＢＢ制御チャネルを監視してもよい。
【００６３】
Ｓ４０４において、端末は、ｅＭＢＢ制御チャネル上のＤＣＩを検出するとともに、検出したＤＣＩに基づいてｅＭＢＢ制御チャネル上の構成情報を復号する。
【００６４】
図５は本願の例１による情報伝送方法の上記実施形態を示す。なお、図５における２つのリソースブロックは連続的なものであってもよく、連続的でないものであってよく、これについては、本願の実施例において限定しない。図５に示すように、端末がｅＭＢＢ制御チャネルを監視するようにトリガするために、基地局は、ＵＲＬＬＣ制御チャネル上で指示情報（又は標識）を送信し、ここで、指示情報は、端末がｅＭＢＢ制御チャネルを監視するタイミング実例を含む。指示情報を受信した後、端末はタイミング実例に基づいてｅＭＢＢ制御チャネルを監視し始めるとともに、ｅＭＢＢ制御チャネルのＤＣＩに基づいて構成情報を復調してもよい。
【００６５】
なお、Ｓ４０３における動作は、Ｓ４０２における動作の前に実行されてもよい。この場合において、基地局は、端末が指示情報に基づいてｅＭＢＢ制御チャネルを監視した後に、構成情報を送信し、端末がｅＭＢＢ制御チャネル上の構成情報を検出できなくなり、過程が終了する。変形例において、端末は時間帯を予め設定してもよい。前記時間帯内において構成情報が携帯されているｅＭＢＢ制御チャネルを検出しなければ、Ｓ４０２における動作がまだ発生していないことが示され、且つ該過程が終了する。
【００６６】
本願の例１の情報伝送方法によれば、端末は、ＵＲＬＬＣ制御チャネル上で指示情報を受信した後、指示情報からｅＭＢＢ制御チャネルに関連付けられる情報及び端末がｅＭＢＢ制御チャネルを監視するタイミング実例を取得することができ、それにより、端末持続的な監視による高い消費電力を避け、その他の端末性能に与える影響を低減させる。
【例２】
【００６７】
該例において、基地局は、ＵＲＬＬＣサービスのアクティブ状態にあるＵＥに構成情報を送信し、即ち、ＵＲＬＬＣデータを受信するように、ＵＥは監視している。該例の場面において、第１チャネルは、ＵＲＬＬＣサービスが携帯されているチャネルであってもよく、第２チャネルは、ｅＭＢＢサービスが携帯されているチャネルであってもよい。なお、上記場面は、いかなる形態で本願を制限するものではなく、本願を説明するように意図されている。図６に示すように、該例によるフローチャートはＳ６０１〜Ｓ６０４に示される。
【００６８】
Ｓ６０１において、基地局は、ＵＲＬＬＣチャネル上で指示情報を送信する。
【００６９】
該指示情報は、ｅＭＢＢチャネルに関連付けられる情報及び端末がｅＭＢＢチャネルを監視するタイミング実例を含み、ただし、ｅＭＢＢチャネルに関連付けられる情報は、ｅＭＢＢチャネルに対応する１つ又は複数の制御チャネル検索空間又はＣＯＲＥＳＥＴ、ｅＭＢＢチャネルの時間領域リソース、又はｅＭＢＢチャネルの周波数領域リソースのうちの少なくとも１つを含む。指示情報におけるタイミング実例は、端末が第２チャネルを監視し始める特定の時間であってもよく、又は端末が第２チャネルを監視するタイムウィンドウであってもよい。
【００７０】
また、指示情報はさらに、構成情報を送信するための情報を含み、具体的には、構成情報を送信するための時間領域リソース、構成情報を送信するための周波数領域リソース、構成情報を送信するための変調方式、又は構成情報を送信するためのチャネル符号化方式のうちの少なくとも１つを含む。
【００７１】
該動作の１つの実施形態において、指示情報とＵＲＬＬＣデータを多重化することにより、指示情報とＵＲＬＬＣデータを共にＵＲＬＬＣチャネル上に携帯させることができる。代替的実施形態において、ＵＲＬＬＣデータの一部に対してパンクチャリングを行うことにより、指示情報とＵＲＬＬＣデータを共にＵＲＬＬＣチャネル上に携帯させる。具体的には、ＵＲＬＬＣデータの一部に対してパンクチャリングを行い、且つ指示情報はパンクチャリングが行われたＵＲＬＬＣデータのリソースを占有することで、指示情報とＵＲＬＬＣデータを共にＵＲＬＬＣチャネル上に携帯させる。他の実施形態において、基地局は、ＵＲＬＬＣチャネル上で指示情報及びＵＲＬＬＣデータを別々に送信してもよく、即ち、該情報とＵＲＬＬＣデータを多重化しないことが指示されている。
【００７２】
Ｓ６０２において、基地局は、ｅＭＢＢチャネル上で端末に用いられる構成情報を送信する。
【００７３】
構成情報は、ＲＲＣシグナリング又はＭＡＣシグナリング中に携帯されてもよく、端末のデータ伝送、測定制御及び報告、切り換え、セル選択及び再選択、ＨＡＲＱ等を含むが、これに限定されないサービスを制御するために用いられる。
【００７４】
Ｓ６０３において、端末は、ＵＲＬＬＣチャネル上で指示情報を受信する。
【００７５】
Ｓ６０４において、端末は、指示情報に基づいてｅＭＢＢチャネルを監視するとともに、ｅＭＢＢチャネル上の構成情報を検出する。
【００７６】
Ｓ６０４における実施形態は、指示情報の異なるコンテンツに応じて変化し、具体的には、図７及び図８に示される。
【００７７】
図７に示すように、指示情報はさらに、構成情報を送信するための情報、即ち、構成情報を送信するための時間領域リソース、周波数領域リソース、変調方式又はチャネル符号化方式のうちの少なくとも１つを含む場合、端末は、指示情報を受信した後、指示情報における構成情報を送信するための時間領域リソース、周波数領域リソース、変調方式又はチャネル符号化方式のうちの少なくとも１つに基づいてｅＭＢＢチャネルを検出するとともに、ｅＭＢＢチャネル上に携帯されている構成情報を復号してもよい。
【００７８】
なお、上記実施形態において、ｅＭＢＢチャネルのＤＣＩを検出することを必要とせず、指示情報のみに基づいて構成情報を復号すればよい。
【００７９】
指示情報は、第２チャネルに対応する１つ又は複数の制御チャネル検索空間又はＣＯＲＥＳＥＴを含む場合、Ｓ６０４における実施形態は図８Ａから図８Ｃに示される。具体的には、端末は、指示情報を受信した後、指示情報における制御チャネル検索空間又はＣＯＲＥＳＥＴからｅＭＢＢ制御チャネルを検出し、タイミング実例に基づいてｅＭＢＢ制御チャネル上に携帯されているＤＣＩを検出するとともに、指示情報及び検出したＤＣＩに基づいて構成情報を復号してもよい。
【００８０】
変形例において、端末は時間帯を予め設定してもよい。前記時間帯内において、構成情報が携帯されているｅＭＢＢ制御チャネルを検出しなければ、Ｓ６０２における動作がまだ発生していないことが示され、且つ該過程が終了する。
【００８１】
なお、上記実施例において、ｅＭＢＢ制御チャネルに対応する制御チャネル検索空間又はＣＯＲＥＳＥＴは指示情報から取得され、且つｅＭＢＢ制御チャネル上に携帯されているＤＣＩを検出する必要がある。指示情報に加えて、検出したＤＣＩに基づいて、構成情報を復号してもよい。
【００８２】
本願の例２の情報伝送方法によれば、端末は、ＵＲＬＬＣチャネル上で指示情報を受信した後、指示情報からｅＭＢＢチャネルに関連付けられる情報及び端末がｅＭＢＢチャネルを監視するタイミング実例を取得することができ、それにより、端末の持続的な監視による高い消費電力を避け、その他の端末性能に与える影響を低減させる。
【００８３】
［実施例４］
前の実施例と同じ発明思想に基づいて、図９は本発明の実施例によるネットワーク側機器９０を示す。ネットワーク側機器９０は５Ｇ  ＮＲにおけるｇＮＢであってもよく、第１送信モジュール９０１及び第２送信モジュール９０２を含む。
【００８４】
第１送信モジュール９０１は、第１サービスを実行するための第１チャネル上で、第２サービスを実行するための第２チャネルに関連付けられる情報又は端末が第２チャネルを監視するタイミング実例のうちの少なくとも１つを含む指示情報を送信するように構成される。
【００８５】
第２送信モジュール９０２は、第２チャネル上で端末に用いられる構成情報を送信するように構成される。
【００８６】
第１チャネルは、前記第１サービスに用いられるデータチャネル又は制御チャネルを含んでもよく、第２チャネルは、第２サービスに用いられるデータチャネル又は制御チャネルを含んでもよく、且つ第１サービスは、第２サービスよりも高い優先度を持つ。一例では、第１サービスは、ＵＲＬＬＣサービスを含んでもよく、第２サービスは、ＵＲＬＬＣサービス以外のその他のサービス、例えば、ｅＭＢＢサービスを含んでもよい。したがって、第１チャネルは、ＵＲＬＬＣサービスが携帯されているデータチャネル又は制御チャネルであってもよく、第２チャネルは、ｅＭＢＢサービスが携帯されているデータチャネル又は制御チャネルであってもよい。
【００８７】
一例では、第２チャネルに関連付けられる情報は、前記第２チャネルに対応する１つ又は複数の制御チャネル検索空間又はＣＯＲＥＳＥＴ、第２チャネルの時間領域リソース又は第２チャネルの周波数領域リソースのうちの少なくとも１つを含む。
【００８８】
一例では、第１送信モジュール９０１は、指示情報と第１サービスのサービスデータを多重化することにより、指示情報とサービスデータを共に第１チャネル上に携帯させることを許可する。変形例において、第１送信モジュール９０１は第１サービスのサービスデータの一部に対してパンクチャリングを行うことにより、指示情報と第１サービスのサービスデータを共に第１チャネル上に携帯させることを許可する。具体的には、第１サービスのサービスデータの一部に対してパンクチャリングを行い、指示情報は、パンクチャリングが行われたサービスデータのリソースを占有することで、指示情報と第１サービスのサービスデータを共に第１チャネル上に携帯させる。他の例では、第１送信モジュール９０１は、第１チャネル上で指示情報及び第１サービスのサービスデータを別々に送信することができ、即ち、該情報と第１サービスのサービスデータを多重化しないことが指示されている。
【００８９】
構成情報は、ＲＲＣシグナリング又はＭＡＣシグナリング中に携帯されてもよく、端末のデータ伝送、測定制御及び報告、切り換え、セル選択及び再選択、ＨＡＲＱ等を含むが、これに限定されないサービスを制御するために用いられる。なお、構成情報のほかに、上記伝送方法はさらに、その他の情報／メッセージを送信するために用いることができる。
【００９０】
代替的実施形態において、ネットワーク側機器９０はさらに、１つ又は複数の制御チャネル検索空間又は５Ｇ  ＮＲ技術における指定されたＣＯＲＥＳＥＴを構成するための構成モジュール９０３を含んでもよい。この場合において、基地局から指示情報を受信した後、端末は、構成された制御チャネル検索空間又はＣＯＲＥＳＥＴから第２チャネルを検出してもよい。なお、指示情報を送信する前に、又は指示情報を送信した後、制御チャネル検索空間又はＣＯＲＥＳＥＴを構成してもよい。
【００９１】
代替的実施形態において、指示情報はさらに、構成情報を送信するための情報を含んでもよい。構成情報を送信するための前記情報は、構成情報を送信するための時間領域リソース、構成情報を送信するための周波数領域リソース、構成情報を送信するための変調方式、又は構成情報を送信するためのチャネル符号化方式のうちの少なくとも１つを含んでもよい。この場合において、ネットワーク側機器９０は、上記情報を含む指示情報を送信することにより、端末が指示情報における構成情報を送信するための時間領域リソース、周波数領域リソース、変調方式又はチャネル符号化方式のうちの少なくとも１つに基づいて第２チャネル情報を取得し、又は指示情報における制御チャネル検索空間又はＣＯＲＥＳＥＴから第２チャネルを検出し、続いて第２チャネル上の構成情報を検出するようにさせてもよい。
【００９２】
本願の実施例において、第１チャネルは、ＵＲＬＬＣサービスが携帯されているチャネルであってもよく、第２チャネルは、ｅＭＢＢサービスが携帯されているチャネルであってもよい。特に、該解決手段は以下のように実現されてもよい。ネットワーク側機器９０における第１送信モジュール９０１はＵＲＬＬＣチャネル（又はＵＲＬＬＣリソース）上でｅＭＢＢチャネル（又はｅＭＢＢリソース）に関連付けられる情報及び／又は端末がｅＭＢＢチャネルを監視するタイミング実例を含む指示情報を送信してもよく、第１送信モジュール９０１はさらにｅＭＢＢチャネル上で端末に用いられる構成情報を送信する。基地局から指示情報を受信した後、端末は、指示情報によって提供された情報に基づいてｅＭＢＢチャネルを監視するとともに、ｅＭＢＢチャネル上に携帯されている構成情報を検出してもよい。前記指示情報とＵＲＬＬＣデータを多重化する、又は多重化しない。指示情報とＵＲＬＬＣデータを多重化しなければ、指示情報を、ＵＲＬＬＣデータと共にＵＲＬＬＣリソースにおいて送信するしかない。当然ながら、該解決手段は、端末持続的な監視による高い消費電力を避けることができる。該解決手段は、さらにより低い遅延要求でｅＭＢＢリソースにおいて構成情報を送信することにより、現在の端末によるその他の端末のリソース占有を防止でき、それにより、その他の端末性能に与える影響を低減させる。
【００９３】
本願の実施例において、明細書に用いる「モジュール」、「システム」等の用語は、回路、プロセッサ、サブプログラム、ソフトウェアプログラム等であってもよく、これらは、ハードウェアの形態で実現されてもよく、ソフトウェアによる機能モジュールの形態で実現されてもよい。
【００９４】
また、本願の各実施例における各モジュールは、処理ユニットに集積されてもよく、各ユニットは、独立するものとして存在してもよく、２つ又はそれ以上のユニットを１つのユニットに集積してもよい。上記集積ユニットは、ハードウェア又はソフトウェアによる機能モジュールの形態で実現されてもよい。
【００９５】
前記機能は、ソフトウェアによる機能ユニットの形態で実現されるとともに独立する製品として販売又は使用される場合、コンピュータ読み取り可能な記憶媒体に記憶されてもよい。これにより、本願の技術的解決手段の趣旨、又は従来技術に対して貢献する部分は、ソフトウェア製品の形態として表現されるとともに、コンピュータソフトウェア製品は、１台のコンピューティング機器（パーソナルコンピュータ、サーバ、又はネットワーク機器等であってもよい）に本願の各実施例に記載の方法のステップの一部又はその全てを実行させるためのいくつかのコマンドを含む記憶媒体に記憶される。前記記憶媒体は、プログラムコードを記憶できる様々な媒体を含み、例えば、ＵＳＢメモリ、リムーバブルハードディスク、読み取り専用メモリ（Ｒｅａｄ  Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスクが挙げられる。
【００９６】
本願の実施例は、情報伝送用のコマンドが記憶されているコンピュータ読み取り可能な記憶媒体を提供し、少なくとも１つのプロセッサによって実行される場合は、プロセッサに本願の実施例１による方法を実行させる。コンピュータ読み取り可能な記憶媒体についての説明は、本願の実施例１に係る説明を参照してもよく、重複を避けるために、ここで説明を省略する。
【００９７】
ネットワーク側機器９０及びコンピュータ読み取り可能な記憶媒体を基に、図１０は本願の実施例によるネットワーク側機器９０のハードウェア部品の構造図を示す。ネットワーク側機器９０は、第１ネットワークインタフェース１００１、第１メモリ１００２及び第１プロセッサ１００３を含んでもよく、ただし、全ての部品はバスシステム１００４によってカップリングされる。バスシステム１００４は、通信中の部品を接続するように構成される。データバスのほかに、バスシステム１００４はさらに、電源バス、制御バス及び状態信号バスを含んでもよい。明確にするために、図１０における様々なバスはバスシステム１００４として示される。
【００９８】
第１ネットワークインタフェース１００１は、その他の外部ネットワーク素子との間に、情報を送信及び受信する過程で信号を受信及び送信するように構成される。
【００９９】
第１メモリ１００２は、第１プロセッサ１００３上で実行するコンピュータプログラムを記憶するように構成される。
【０１００】
第１プロセッサ１００３は、コンピュータプログラムを実行する場合、第１サービスを実行するための第１チャネル上で、第２サービスを実行するための第２チャネルに関連付けられる情報又は端末が第２チャネルを監視するタイミング実例のうちの少なくとも１つを含む指示情報を送信する動作と、前記第２チャネル上で端末に用いられる構成情報を送信する動作とを実行するように構成される。
【０１０１】
なお、本願の実施例における第１メモリ１００２は、揮発性メモリ若しくは不揮発性メモリであってもよく、又は揮発性及び不揮発性メモリの両方を含むものであってもよく、そのうち、不揮発性メモリはＲＯＭ、ＰＲＯＭ、消去可能なＰＲＯＭ（Ｅｒａｓａｂｌｅ  ＰＲＯＭ、ＥＰＲＯＭ）、ＥＥＰＲＯＭ又はフラッシュであってもよい。揮発性メモリは、外部キャッシュとして用いられるＲＡＭであってもよい。各種形態を使用可能なＲＡＭについては例示的に説明すると、例えば、スタティックＲＡＭ（Ｓｔａｔｉｃ  ＲＡＭ、ＳＲＡＭ）、ダイナミックＲＡＭ（Ｄｙｎａｍｉｃ  ＲＡＭ、ＤＲＡＭ）、シンクロナスＤＲＡＭ（Ｓｙｎｃｈｒｏｎｏｕｓ  ＤＲＡＭ、  ＳＤＲＡＭ）、ダブルデータレートＳＤＲＡＭ（Ｄｏｕｂｌｅ  Ｄａｔａ  Ｒａｔｅ  ＳＤＲＡＭ、ＤＤＲ  ＳＤＲＡＭ）、拡張ＳＤＲＡＭ（Ｅｎｈａｎｃｅｄ  ＳＤＲＡＭ、ＥＳＤＲＡＭ）、シンクリンクＤＲＡＭ（Ｓｙｎｃｈｌｉｎｋ  ＤＲＡＭ、ＳＬＤＲＡＭ）及びダイレクトラムバスＲＡＭ（Ｄｉｒｅｃｔ  Ｒａｍｂｕｓ  ＲＡＭ、ＤＲ  ＲＡＭ）が挙げられるが、これらに限定されるものではない。なお、本願において説明されるシステム及び方法に係るメモリは、これら以外にも適当なタイプのメモリを含むが、これらにも限定されないことが意図されている。
【０１０２】
第１プロセッサ１００３は、信号処理能力を有する集積回路チップであってもよい。実現させるに当たり、方法の実施例の各ステップは、第１プロセッサにおけるハードウェアの集積論理回路又はソフトウェア形式のコマンドにより完了されてもよい。プロセッサは、本願の実施例に開示されている方法、ステップ及び論理ブロック図のそれぞれを実現又は実行できる汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又はその他のプログラマブル論理素子、ディスクリートゲート又はトランジスタ論理素子及び分散されたハードウェアコンポーネントであってもよい。汎用プロセッサはマイクロプロセッサであってもよく、又はプロセッサは関連するあらゆるプロセッサ等であってもよい。本願の実施例を用いて開示される方法の動作は、ハードウェア復号プロセッサによって実行及び完了されるか、又は復号プロセッサにおけるハードウェアモジュールとソフトウェアモジュールの組み合わせによって実行及び完了される形で表現されてもよい。
【０１０３】
なお、本明細書に説明される実施例は、ハードウェア、ソフトウェア、ファームウェア、ミドルウェア、マイクロコード又はこれらの組み合わせによって実現されてもよい。ハードウェアによる実現については、処理ユニットは、本願を実行するための１つ又は複数のＡＳＩＣ、ＤＳＰ、プログラマブルロジックデバイス（ｐｒｏｇｒａｍｍａｂｌｅ  ｌｏｇｉｃ  ｄｅｖｉｃｅ、ＰＬＤ）、ＦＰＧＡ、汎用プロセッサ若しくはその他の電子ユニット又はこれらの組み合わせで実現してもよい。ソフトウェアによる実現については、本明細書に説明される方法は、本明細書に説明される機能を有するモジュール（例えば、過程、機能等）によって実現されてもよい。
【０１０４】
［実施例５］
前の実施例と同じ発明思想に基づいて、図１１は本発明の実施例による端末１１０を示す。端末１１０は、受信モジュール１１０１及び検出モジュール１１０２を含んでもよい。
【０１０５】
受信モジュール１１０１は、基地局が第１サービスを実行するための第１チャネル上で送信した、第２サービスを実行するための第２チャネルに関連付けられる情報又は端末が第２チャネルを監視するタイミング実例のうちの少なくとも１つを含む指示情報を受信するように構成される。
【０１０６】
検出モジュール１１０２は、前記指示情報に基づいて第２チャネルを監視するとともに、基地局が第２チャネル上で送信した前記構成情報を検出するように構成される。
【０１０７】
本願の実施例において、第１チャネルは、前記第１サービスに用いられるデータチャネル又は制御チャネルを含んでもよく、第２チャネルは、前記第２サービスに用いられるデータチャネル又は制御チャネルを含んでもよく、且つ第１サービスは、第２サービスよりも高い優先度を持つ。一例では、第１サービスは、ＵＲＬＬＣサービスを含んでもよく、第２サービスは、ＵＲＬＬＣサービス以外のその他のサービス、例えば、ｅＭＢＢサービスを含んでもよい。したがって、第１チャネルは、ＵＲＬＬＣサービスが携帯されているデータチャネル又は制御チャネルであってもよく、第２チャネルは、ｅＭＢＢサービスが携帯されているデータチャネル又は制御チャネルであってもよい。
【０１０８】
例において、第２チャネルに関連付けられる情報は、第２チャネルに対応する１つ又は複数の制御チャネル検索空間又はＣＯＲＥＳＥＴ、第２チャネルの時間領域リソース又は第２チャネルの周波数領域リソースのうちの少なくとも１つを含む。
【０１０９】
本願の実施例の１つの実施形態において、図１２Ａに示すように、検出モジュール１１０２は、第１検出サブモジュール１１０２ａ及び第１復号サブモジュール１１０２ｂを含む。
【０１１０】
前記第１検出サブモジュール１１０２ａは、受信モジュール１１０１から前記指示情報を受信し、基地局が予め構成した１つ又は複数の制御チャネル検索空間又はＣＯＲＥＳＥＴから第２チャネルを検出し、タイミング実例に基づいて第２チャネル上に携帯されているＤＣＩを検出するとともに、検出したＤＣＩを第１復号サブモジュール１１０２ｂに送信するように構成される。
【０１１１】
第１復号サブモジュール１１０２ｂは、第１検出サブモジュール１１０２ａから受信する、検出されたＤＣＩに基づいて、構成情報を復号するように構成される。
【０１１２】
本願の実施例の代替的実施形態において、指示情報はさらに、前記構成情報を送信するための情報を含んでもよく、具体的には、時間領域リソース、周波数領域リソース、変調方式又は前記構成情報を送信するためのチャネル符号化方式のうちの少なくとも１つを含んでもよい。
【０１１３】
この場合において、一例では、検出モジュール１１０２は、前記指示情報を受信した後、さらに、前記指示情報における構成情報を送信するための時間領域リソース、周波数領域リソース、変調方式又はチャネル符号化方式のうちの少なくとも１つに基づいて構成情報を復号するように構成される。
【０１１４】
変形例において、図１２Ｂに示すように、検出モジュール１１０２は、第２検出サブモジュール１１０２ｃ及び第２復号サブモジュール１１０２ｄを含んでもよい。前記第２検出サブモジュール１１０２ｃは、受信モジュール１１０１から指示情報を受信し、指示情報における第２チャネルに対応する制御チャネル検索空間又はＣＯＲＥＳＥＴから前記第２チャネルを検出し、前記タイミング実例に基づいて前記第２チャネル上に携帯されているＤＣＩを検出するとともに、前記検出したＤＣＩを第２復号サブモジュール１１０２ｄに送信するように構成される。第２復号サブモジュール１１０２ｄは、第２検出サブモジュール１１０２ｃから受信した前記指示情報及び検出したＤＣＩに基づいて前記構成情報を復号するように構成される。
【０１１５】
本願の実施例の１つの実施形態において、前記指示情報と前記サービスデータを多重化することにより、前記指示情報と前記第１サービスのサービスデータを共に第１チャネル上に携帯させてもよい。代替的実施形態において、サービスデータの一部に対してパンクチャリングを行うことにより、指示情報と第１サービスのサービスデータを共に第１チャネル上に携帯させる。具体的には、第１サービスのサービスデータの一部に対してパンクチャリングを行い、指示情報は、パンクチャリングが行われたサービスデータのリソースを占有することで、指示情報と第１サービスのサービスデータを共に第１チャネル上に携帯させる。本願の実施例の他の実施形態において、第１チャネル上で指示情報及び第１サービスのサービスデータを別々に受信し、即ち、該情報と前記第１サービスのサービスデータを多重化しないことが指示されている。
【０１１６】
構成情報は、ＲＲＣシグナリング又はＭＡＣシグナリング中に携帯されてもよく、前記端末のデータ伝送、測定制御及び報告、切り換え、セル選択及び再選択、ＨＡＲＱ等を含むが、これらに限定されないサービスを制御するために用いられる。
【０１１７】
本願の実施例において、第１チャネルは、前記ＵＲＬＬＣサービスが携帯されているチャネル（即ち、ＵＲＬＬＣチャネル）であってもよく、第２チャネルは、前記ｅＭＢＢサービスが携帯されているチャネル（即ち、ｅＭＢＢチャネル）であってもよい。特に、該解決手段は以下のように実現されてもよい。端末１１０における受信モジュール１１０１は前記ネットワーク側機器９０が前記ＵＲＬＬＣチャネル（又はＵＲＬＬＣリソース）上で送信した、ｅＭＢＢチャネル（又はｅＭＢＢリソース）に関連付けられる情報及び／又は端末が前記ｅＭＢＢチャネルを監視するタイミング実例を含む指示情報を受信し、指示情報によって提供された情報に基づいてｅＭＢＢチャネルを検出し、ｅＭＢＢチャネル上の構成情報を取得する。指示情報とＵＲＬＬＣデータを多重化する、又は多重化しない。指示情報とＵＲＬＬＣデータを多重化しなければ、指示情報を、ＵＲＬＬＣリソースにおいてＵＲＬＬＣデータと共に送信するしかない。当然ながら、該解決手段は、端末の持続的な監視による高い消費電力を避けることができる。該解決手段は、さらにより低い遅延要求でｅＭＢＢリソースにおいて構成情報を送信することにより、現在の端末によるその他の端末のリソースの占有を防止でき、それにより、その他の端末性能に与える影響を低減させる。
【０１１８】
本願の実施例において、明細書に用いる「モジュール」、「システム」等の用語は、回路、プロセッサ、サブプログラム、ソフトウェアプログラム等であってもよく、これらは、ハードウェアの形態で実現されてもよく、ソフトウェアによる機能モジュールの形態で実現されてもよい。
【０１１９】
また、本願の各実施例における各モジュールは、処理ユニットに集積されてもよく、各ユニットは、独立するものとして存在してもよく、２つ又はそれ以上のユニットを１つのユニットに集積してもよい。上記集積ユニットは、ハードウェア又はソフトウェアによる機能モジュールの形態で実現されてもよい。
【０１２０】
前記機能は、ソフトウェアによる機能ユニットの形態で実現されるとともに独立する製品として販売又は使用される場合、コンピュータ読み取り可能な記憶媒体に記憶されてもよい。これにより、本願の技術的解決手段の趣旨、又は従来技術に対して貢献する部分は、ソフトウェア製品の形態として表現されるとともに、コンピュータソフトウェア製品は、１台のコンピューティング機器（パーソナルコンピュータ、サーバ、又はネットワーク機器等であってもよい）に本願の各実施例に記載の方法のステップの一部又はその全てを実行させるためのいくつかのコマンドを含む記憶媒体に記憶される。前記記憶媒体は、プログラムコードを記憶できる様々な媒体を含み、例えば、ＵＳＢメモリ、リムーバブルハードディスク、読み取り専用メモリ（Ｒｅａｄ  Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスクが挙げられる。
【０１２１】
本願の実施例は、情報伝送用のコマンドが記憶されているコンピュータ読み取り可能な記憶媒体を提供し、少なくとも１つのプロセッサによって実行される場合は、プロセッサに本願の実施例２による方法を実行させる。コンピュータ読み取り可能な記憶媒体についての説明は、本願の実施例２に係る説明を参照してもよく、重複を避けるために、ここで説明を省略する。
【０１２２】
端末１１０及びコンピュータ読み取り可能な記憶媒体を基に、図１３は本願の実施例による端末１１０のハードウェア部品の構造図を示す。端末１１０は、第２ネットワークインタフェース１３０１、第２メモリ１３０２及び第２プロセッサ１３０３を含んでもよく、ただし、全ての部品はバスシステム１３０４によってカップリングされる。バスシステム１３０４は、通信中の部品を接続するように構成される。データバスのほかに、バスシステム１３０４はさらに、電源バス、制御バス及び状態信号バスを含んでもよい。明確にするために、図１３における様々なバスはバスシステム１３０４として示される。
【０１２３】
第２ネットワークインタフェース１３０１は、その他の外部ネットワーク素子との間に、情報を送信及び受信する過程で信号を受信及び送信するように構成される。
【０１２４】
第２メモリ１３０２は、第２プロセッサ１３０３上で実行するコンピュータプログラムを記憶するように構成される。
【０１２５】
第２プロセッサ１３０３は、コンピュータプログラムを実行する場合、基地局が第１サービスを実行するための第１チャネル上で送信した、第２サービスを実行するための第２チャネルに関連付けられる情報又は端末が第２チャネルを監視するタイミング実例のうちの少なくとも１つを含む指示情報を受信する動作と、指示情報に基づいて第２チャネルを監視するとともに、基地局の第２チャネル上で送信した構成情報を検出する動作とを実行するように構成される。
【０１２６】
本願の実施例において、端末１００のハードウェア部品は、本願の実施例４に説明される部品と同様で、重複を避けるために、ここで詳細な説明を省略する。
【０１２７】
［実施例６］
前の実施例と同じ発明思想に基づいて、図１４は本願の実施例による情報伝送システム１４０の構造模式図を示す。システム１４０は、ネットワーク側機器９０及び端末１１０を含んでもよい。
【０１２８】
ネットワーク側機器９０は、第１サービスを実行するための第１チャネル上で、第２サービスを実行するための第２チャネルに関連付けられる情報又は端末が前記第２チャネルを監視するタイミング実例のうちの少なくとも１つを含む指示情報を送信するように構成され、ネットワーク側機器９０はさらに、第２チャネル上で端末１１０に用いられる構成情報を送信するように構成される。
【０１２９】
端末１１０は、ネットワーク側機器９０の前記第１チャネル上で送信した指示情報を受信し、第２チャネルを監視するとともに、ネットワーク側機器９０の第２チャネル上で送信した構成情報を検出するように構成される。
【０１３０】
具体的な実施過程において、本願におけるネットワーク側機器９０は、本願の各実施例に説明されるネットワーク側機器又は基地局であることが好ましく、端末１１０は、本願の各実施例に説明される端末であることが好ましい。
【０１３１】
当業者であれば、本願の実施例は方法、システム又はコンピュータプログラム製品として提供されてもよいことが理解されるべきである。したがって、本願は、ハードウェア実施例、ソフトウェア実施例又はソフトウェアとハードウェアを組み合わせる実施例を用いてもよい。本願はさらに、コンピュータプログラムコードを含む１つ又は複数のコンピュータ読み取り可能な記憶媒体（磁気ディスクメモリ及び光メモリを含むが、これらに限定されない）上で実行されるコンピュータプログラム製品の形態を用いてもよい。
【０１３２】
本願は、本願の実施例による方法、機器（システム）及びコンピュータプログラム製品のフローチャート及び／又はブロック図を参照しながら説明されるものである。なお、前記フローチャート及び／又はブロック図における各動作及び／又はブロック、並びにフローチャート及び／又はブロック図における動作及び／又はブロックの組み合わせは、コンピュータプログラムコマンドにより実現できる。本願の実施例において、１つ又は複数の動作は１つ又は複数のコンピュータ読み取り可能な媒体に記憶されるコンピュータ読み取り可能なコマンドを構成でき、電子機器によって実行される場合は、前記電子機器に説明される動作を実行させる。動作の一部又は全てを説明する順序は、これらの動作が該順序に従って実行しなければならないと解釈されるべきではない。当業者であれば、明細書に説明される前記利点を有する代替的順序を理解しうる。また、本明細書に提供される本実施例では、全ての動作を体現する必要がないことが、当然理解されるべきである。
【０１３３】
以上の実施例は、本願の好ましいものに過ぎず、本願の技術的範囲を制限すると意図されていない。本願の精神及び原理内において行われるあらゆる修正、同等置換及び変形は、いずれも本願の技術的範囲として保護されるべきであると考えられる。
【産業上の利用可能性】
【０１３４】
本願の実施例において、ネットワーク側機器は、第１サービスを実行するための第１チャネル上で指示情報を送信することにより、端末が指示情報によって提供された情報に基づいて第２チャネルを監視するとともに、第２チャネル上で携帯されている情報を検出するようにさせ、それにより、端末の持続的な監視による高い消費電力を避け、その他の端末性能に与える影響を低減させる。
【図１】
2020509631.tif 000003
【図２】
2020509631.tif 000004
【図３】
2020509631.tif 000005
【図４】
2020509631.tif 000006
【図５】
2020509631.tif 000007
【図６】
2020509631.tif 000008
【図７】
2020509631.tif 000009
【図８Ａ】
2020509631.tif 000010
【図８Ｂ】
2020509631.tif 000011
【図８Ｃ】
2020509631.tif 000012
【図９】
2020509631.tif 000013
【図１０】
2020509631.tif 000014
【図１１】
2020509631.tif 000015
【図１２Ａ】
2020509631.tif 000016
【図１２Ｂ】
2020509631.tif 000017
【図１３】
2020509631.tif 000018
【図１４】
2020509631.tif 000019
【国際調査報告】
2020509631.tif 000020
2020509631.tif 000021
2020509631.tif 000022
2020509631.tif 000023